(57)【要約】【課題】コンクリート廃材のモルタル分を優先的に剥離することによって、再生骨材製品の歩留まりと品質の向上を図り、低コストで再生骨材を連続的に製造し得るコンクリート再生骨材製造用ジョークラッシャを提供する。【解決手段】固定歯６と動歯４との間に投入されたコンクリート廃材を圧縮破砕してコンクリート再生骨材を製造するジョークラッシャ１において、前記固定歯６または／および動歯４に作用する圧縮荷重が負荷される部材に、一定荷重以上の破砕エネルギーを吸収させる破砕エネルギー吸収手段２０を設けて、前記コンクリート廃材のモルタル分を優先的に破砕するよう構成されたことを特徴とする。【選択図】図１
2007222752.tif 000002
【特許請求の範囲】
【請求項１】
固定歯と動歯との間に投入されたコンクリート廃材を圧縮破砕してコンクリート再生骨材を製造するジョークラッシャにおいて、前記固定歯または／および動歯に作用する圧縮荷重が負荷される部材に、一定荷重以上の破砕エネルギーを吸収させる破砕エネルギー吸収手段を設けて、前記コンクリート廃材のモルタル分を優先的に破砕するよう構成された
ことを特徴とするコンクリート再生骨材製造用ジョークラッシャ。
【請求項２】
前記破砕エネルギー吸収手段が、前記動歯を固定したスイングジョーとトグルブロックとの間にあって、前記スイングジョーの下端に揺動運動を与えるため介設されたトグルプレートに設けられ、このトグルプレートに負荷される一定荷重以上の破砕エネルギーを吸収させるよう構成されたことを特徴とする請求項１記載のコンクリート再生骨材製造用ジョークラッシャ。
【請求項３】
前記破砕エネルギー吸収手段が、前記トグルプレートが介設されたスイングジョーまたはトグルブロックに設けられ、これらスイングジョーまたはトグルブロックに負荷される一定荷重以上の破砕エネルギーを吸収させるよう構成されたことを特徴とする請求項１記載のコンクリート再生骨材製造用ジョークラッシャ。
【請求項４】
前記破砕エネルギー吸収手段が、前記固定歯と固定歯側フレームとの間または／および前記動歯とスイングジョーとの間に介設され、これら固定歯側フレームまたは／およびスイングジョーに負荷される一定荷重以上の破砕エネルギーを吸収させるよう構成されたことを特徴とする請求項１記載のコンクリート再生骨材製造用ジョークラッシャ。
【請求項５】
前記破砕エネルギー吸収手段が、ばね、ゴム、エアスプリングまたは流体シリンダーから構成されたことを特徴とする請求項１乃至４のうちの何れか一つの項に記載のコンクリート再生骨材製造用ジョークラッシャ。
【発明の詳細な説明】
【技術分野】
【０００１】
本発明は、コンクリート廃材を破砕処理してコンクリート再生骨材を製造するためのジョークラッシャに関し、更には、前記コンクリート廃材のモルタル分を選択的に効率良く破砕できるコンクリート再生骨材製造用ジョークラッシャに関する。
【背景技術】
【０００２】
コンクリート廃材を破砕処理してコンクリート再生骨材を製造する一次処理用設備として、従来からジョークラッシャが一般的に広く用いられている。しかしながら、この従来例に係るジョークラッシャを用いて再生された再生骨材は、再生された骨材からモルタル分が十分除去されていない等品質レベルが低く、ＪＩＳ  Ａ５０２１−２００５に規定される再生骨材の最終製品（再生粗骨材および再生細骨材）の製造に使用されることはなかった。
【０００３】
前記従来例に係るジョークラッシャは、上述した品質問題もさることながら、コンクリート廃材破砕における破砕荷重の調整が困難で、コンクリート廃材のモルタル分とこれに含有された骨材の剥離のみを生じさせることが難しく、再生すべき骨材まで粉砕させてしまうという問題点を有していた。現時点では、前記ＪＩＳ規格に合致するコンクリート再生骨材を製造する目的に使用できる従来技術として、一般的に、次に述べるもみ摺り方式や偏心ロータ方式が使用されている。
【０００４】
そこで、上記従来例に係るコンクリート再生骨材製造技術について、以下図４，５を参照しながら説明する。図４は従来例に係るコンクリート再生骨材製造方法に使用する装置（もみ摺り方式）を示す斜視図、図６は他の従来例に係るコンクリート再生骨材製造方法に使用する再生処理装置（偏心ロータ方式）の概略図である。
【０００５】
先ず、図４において、従来例に係るコンクリート再生骨材の製造方法は、コンクリート廃材を先ず４０ｍｍ角以下に粗砕し、この粗砕したコンクリート廃材を、以下に説明する装置３０に投入して摩擦粉砕させるものである。
【０００６】
即ち、この装置３０は、円筒状容器３２の中心に片持支持のスクリューフィーダ３３が配設され、このスクリューフィーダ３３の自由端側となる前記円筒状容器３２の開口端に、前記スクリューフィーダ３３とは逆方向に回転し、かつ前記円筒形状容器３２の開口端を塞ぐ方向に弾性部材３６により付勢された片持支持のコーン状破砕体３４が嵌合されている。
【０００７】
同時に、前記スクリューフィーダ３３によって破砕原料が前記コーン状破砕体３４に圧接されるとともに、前記破砕原料の圧接により生じる押圧力によりコーン状破砕体３４が前記弾性部材３６の付勢力に抗して移動し、円筒状容器３２の開口端とコーン状破砕体３４との間に破砕物の排出口３５が形成された装置３０である。
【０００８】
そして、この装置３０によって、前記４０ｍｍ角以下に粗砕されたコンクリート廃材同士、および前記４０ｍｍ角以下に粗砕されたコンクリート廃材と前記コーン状破砕体３４との粗面とを所定の圧力下で擦り合わせ、骨材表面に付着したモルタル分を摩擦粉砕させるのである（特許文献１参照）。
【０００９】
ところが、上記従来例に係るコンクリート再生骨材の製造方法は、スクリューフィーダ３３とコーン状破砕体３４が圧接され、破砕原料との接触面となる円筒状容器３２内面とスクリューフィーダ３３の破砕歯の摩耗進行速度が速く、またこの摩耗の進行に伴う円筒状容器３２内面とスクリューフィーダ３３の破砕歯外周とのギャップの補正が困難であり、安定した再生骨材製品の品質維持が難しい。
【００１０】
次に、図５において、他の従来例に係るコンクリート再生骨材の製造方法は、コンクリート廃材を所定の大きさのコンクリート塊に破砕する第１ステップと、ケーシング４１の鉛直筒部内に、筒状ロータ４２を偏心回転可能に設けておき、前記ロータ４２と鉛直筒部との間隙Ｓに、コンクリート塊４９および所定の圧縮強度と硬度とを有する圧縮力増大用の媒体４０を装入して、ロータ４２の偏心回転によりコンクリート塊相互を摩擦接触させて骨材からセメントモルタル分を除去するに際しての圧縮力を前記媒体で増強させる第２ステップとを有する。
【００１１】
そして同時に、前記ケーシング４１から排出された再生骨材を、再生粗骨材と再生細骨材とに篩分けする第３ステップを有している（特許文献２参照）。しかしながら、上記従来例に係るコンクリート再生骨材の製造方法は、設備構造が複雑で高価なため、初期の設備設置コストが多大なものとなる。また、前述したもみ摺り方式と同様に、摩耗の進行に伴う前記ロータ４２と鉛直筒部との間隙Ｓの補正が困難であり、安定した再生骨材製品の品質を維持するのが難しい。
【００１２】
また、図示はしないが、更に他の従来例に係るコンクリート骨材再生方法によれば、コンクリート塊を粉砕して得られたコンクリート破砕材に対して熱風を用いた加熱処理を行った後、そのコンクリート破砕材から骨材を分離し再生する骨材再生方法であって、最大寸法で５ｍｍ以上のコンクリート破砕材に対して前記加熱処理を行うものである（特許文献３参照）。
【００１３】
上記従来例に係るコンクリート骨材再生方法によれば、コンクリート塊中のモルタル分が脆化されるので、骨材とモルタル分の剥離効果が非常に高く、高品質の骨材製品が回収可能である。しかし、前記コンクリート破砕材の加熱処理において、温度３００℃前後で３０分程度の加熱が必要であり、多大な熱量を要する。
【００１４】
その結果、製品処理時のエネルギーコストが高く、ランニングコストの高い設備となってしまう。また、加熱時の二酸化炭素の排出量も非常に大きく、環境保護を目的としてコンクリート廃材をリサイクルしようとする本来の意思に反し、環境破壊を促進してしまうという矛盾した技術と言っても過言ではない。
【特許文献１】特許第３２００３８７号公報
【特許文献２】特開２００１−２３９２５０号公報
【特許文献３】特開２００３−２６４５９号公報
【発明の開示】
【発明が解決しようとする課題】
【００１５】
また、従来例に係るジョークラッシャでは、機械構造が簡単で初期の設備設置コストが安価で、摩耗時のギャップ補正が容易であるものの、機械構造上強制的にコンクリート廃材に圧縮荷重を作用させるため、前記廃材中に混入された骨材まで破砕してしまうという欠点が上述した他の従来例方式より顕著なため、再生骨材製品の歩留まりと品質の低下を招く結果となり、上述した通り再生骨材の最終製品（再生粗骨材および再生細骨材）の製造には適さないものであった。
【００１６】
従って、本発明の目的は、コンクリート廃材のモルタル分を優先的に破砕することによって、再生骨材製品の歩留まりと品質の向上を図り、低コストで再生骨材を連続製造し得るジョークラッシャを提供することにある。
【課題を解決するための手段】
【００１７】
前記目的を達成するために、本発明の請求項１に係るコンクリート再生骨材製造用ジョークラッシャが採用した手段は、固定歯と動歯との間に投入されたコンクリート廃材を圧縮破砕してコンクリート再生骨材を製造するジョークラッシャにおいて、前記固定歯または／および動歯に作用する圧縮荷重が負荷される部材に、一定荷重以上の破砕エネルギーを吸収させる破砕エネルギー吸収手段を設けて、前記コンクリート廃材のモルタル分を優先的に破砕するよう構成されたことを特徴とするものである。
【００１８】
本発明の請求項２に係るコンクリート再生骨材製造用ジョークラッシャが採用した手段は、請求項１記載のコンクリート再生骨材製造用ジョークラッシャにおいて、前記破砕エネルギー吸収手段が、前記動歯を固定したスイングジョーとトグルブロックとの間にあって、前記スイングジョーの下端に揺動運動を与えるため介設されたトグルプレートに設けられ、このトグルプレートに負荷される一定荷重以上の破砕エネルギーを吸収させるよう構成されたことを特徴とするものである。
【００１９】
本発明の請求項３に係るコンクリート再生骨材製造用ジョークラッシャが採用した手段は、請求項１記載のコンクリート再生骨材製造用ジョークラッシャにおいて、前記破砕エネルギー吸収手段が、前記トグルプレートが介設されたスイングジョーまたはトグルブロックに設けられ、これらスイングジョーまたはトグルブロックに負荷される一定荷重以上の破砕エネルギーを吸収させるよう構成されたことを特徴とするものである。
【００２０】
本発明の請求項４に係るコンクリート再生骨材製造用ジョークラッシャが採用した手段は、請求項１記載のコンクリート再生骨材製造用ジョークラッシャにおいて、前記破砕エネルギー吸収手段が、前記固定歯と固定歯側フレームとの間または／および前記動歯とスイングジョーとの間に介設され、これら固定歯側フレームまたは／およびスイングジョーに負荷される一定荷重以上の破砕エネルギーを吸収させるよう構成されたことを特徴とするものである。
【００２１】
本発明の請求項５に係るコンクリート再生骨材製造用ジョークラッシャが採用した手段は、請求項１乃至４のうちの何れか一つの項に記載のコンクリート再生骨材製造用ジョークラッシャにおいて、前記破砕エネルギー吸収手段が、ばね、ゴム、エアスプリングまたは流体シリンダーから構成されたことを特徴とするものである。
【発明の効果】
【００２２】
本発明の請求項１に係るコンクリート再生骨材製造用ジョークラッシャによれば、前記固定歯または／および動歯に作用する圧縮荷重が負荷される部材に、一定荷重以上の破砕エネルギーを吸収させる破砕エネルギー吸収手段を設けて、前記コンクリート廃材のモルタル分を優先的に破砕するよう構成されたので、設備構造上、前記コンクリート廃材中の骨材まで破砕してしまうという従来の欠点を解消し、再生骨材製品の歩留まりと品質の向上を図ることが可能となった。
【００２３】
また、本発明の請求項２に係るコンクリート再生骨材製造用ジョークラッシャによれば、前記破砕エネルギー吸収手段が、前記動歯を固定したスイングジョーとトグルブロックとの間にあって、前記スイングジョーの下端に揺動運動を与えるため介設されたトグルプレートに設けられ、このトグルプレートに負荷される一定荷重以上の破砕エネルギーを吸収させるよう構成されたので、コンクリート廃材中の骨材を破砕するような破砕エネルギーが負荷されたときは、前記破砕エネルギー吸収手段によって動歯に作用する圧縮荷重が吸収され、再生骨材製品の歩留まりと品質の向上を低コストに実現できる。
【００２４】
更に、本発明の請求項３または４に係るコンクリート再生骨材製造用ジョークラッシャによれば、前記破砕エネルギー吸収手段が、前記トグルプレートが介設されたスイングジョーまたはトグルブロックに、あるいはまた、前記固定歯と固定歯側フレームとの間または／および前記動歯とスイングジョーとの間に設けられたので、上記と同様に、再生骨材製品の歩留まりと品質の向上を低コストに実現できる。
【００２５】
本発明の請求項５に係るコンクリート再生骨材製造用ジョークラッシャによれば、前記破砕エネルギー吸収手段が、ばね、ゴム、エアスプリングまたは流体シリンダーから構成されたので、市販品を利用して従来のジョークラッシャを簡便で低コストに改善することができる。
【発明を実施するための最良の形態】
【００２６】
先ず、本発明の実施の形態１に係るコンクリート再生骨材製造用ジョークラッシャを、図１を参照しながら以下説明する。図１は、本発明の実施の形態１に係るコンクリート再生骨材製造用ジョークラッシャの側断面を示す側断面図である。
【００２７】
図１において、符号１は、本発明の実施の形態１に係るコンクリート再生骨材製造用ジョークラッシャを示す。このコンクリート再生骨材製造用ジョークラッシャ１は、サイドフレーム３の上部に固定され軸受で回転支持された主軸２に、図示しない電動機からＶベルトとＶプーリを介して回転力を伝達される。
【００２８】
主軸２には、動歯４を固定されたスイングジョー５が軸受を介して回動自在に設けられているが、その回転中心Ｑは主軸中心（Ｖプーリ中心）Ｐと偏心した位置関係に設けられている。このような構成により、スイングジョー５の軸嵌合部の偏心軸中心Ｑが偏心回転する。
【００２９】
一方、スイングジョー５の下端は、テンションスプリング９によってテンションロッド８を介して引張力を付与され、揺動運動を与えるためのトグルプレート１０に押し付けるように固定されている。そして、このトグルプレート１０は、前記スイングジョー５と本体フレームに固定されたトグルブロック１１との間に介設され、それらの接触部は、滑り運動が可能な自由端であるトグルシート１４ａ，１４ｂに拘束されており、前記テンションロッド８の引張力によって脱落しないように構成されている。
【００３０】
前記スイングジョー５は、上記偏心回転とトグルプレート１０の滑り運動が自在な拘束によって、動歯４下端では矢印１３で示したように略直線的な揺動運動を行う。その揺動方向１３は、トグルプレート１０近傍では、このトグルプレート１０に対し略直角方向の揺動運動であり、その挙動に従い動歯４が直線的な破砕運動を生じる。
【００３１】
そして、コンクリート廃材は、前記動歯４、前記動歯４と対向してジョークラッシャ７に固定された固定歯６およびサイドプレート３に囲まれて形成された破砕室１２に供給される。供給された前記コンクリート廃材は、前記動歯４の直線運動によって破砕室１２内で圧縮作用を受け、破砕される。その破砕荷重は、電動機動力と動歯４の直線運動変位（ストローク）、揺動速度によってその荷重が決まるため、機械仕様が決まると前記破砕荷重が自ずと決まって来ることになる。
【００３２】
一般の骨材を破砕する場合、前記動歯４の変位による圧縮荷重によって強制的に破砕処理を行えば良いが、コンクリート廃材から再生骨材を製造する場合には、モルタル内部に含有される骨材をできるだけ破砕せずに回収することが理想的であるため、このような破砕処理は好ましくない。
【００３３】
そこで、前記圧縮荷重の荷重量を加減するため、電動機の動力を制御することも考えられるが、供給されるコンクリート廃材の性状、例えば、圧縮強度等が変化したり、供給量が増減した際に、その変動に追従できず、電動機にトリップを生じさせ安定した連続運転ができなくなるため、現実的な対応策ではない。
【００３４】
従って、本発明の実施の形態１に係るコンクリート再生骨材製造用ジョークラッシャ１は、図１に示す如く、圧縮ばね１５からなる破砕エネルギー吸収手段２０を、スイングジョー５とトグルブロック１１との間に介設されたトグルプレート１０に設け、このトグルプレート１０に負荷される破砕エネルギーを吸収させるよう構成したのである。
【００３５】
即ち、前記トグルプレート１０は、雌型プレート１０ａと雄型プレート１０ｂとからなり、前記雌型プレート１０ａの凹部に嵌入された圧縮ばね１５を適宜選択して、雄型プレート１０ｂで押し付けて動歯４に負荷される一定荷重以上の破砕エネルギーを吸収し、コンクリート廃材中のモルタル分を優先的に破砕させるのである。
【００３６】
前記モルタル分の剥離荷重は、供給されるコンクリート廃材の寸法やコンクリート種類によって差異があるが、４０ｍｍ角程度のもので１００〜３００ｋｇｆ程度であり、同寸法の骨材の破砕荷重は、圧縮強度が低い砂岩を例にした場合でも平均で１６００ｋｇｆ有しているので、より低荷重で剥離を生じる。この荷重差によって、モルタル分の前記剥離荷重以下では前記破砕エネルギー吸収手段２０が破砕荷重を負荷し、一定荷重を越える破砕荷重の場合は、前記破砕エネルギー吸収手段２０が破砕荷重を吸収することで、コンクリート廃材中に含有する骨材を破砕せずに排出できる。
【００３７】
次に、本発明の実施の形態２に係るコンクリート再生骨材製造用ジョークラッシャを、図２を参照しながら以下説明する。図２は、本発明の実施の形態２に係るコンクリート再生骨材製造用ジョークラッシャの側断面を示す側断面図である。
【００３８】
尚、本発明の実施の形態２が上記実施の形態１と相違するところは、破砕エネルギー吸収手段が、図１に示したような構成でない所に相違があり、その他は同構成であるから、上記実施の形態１と同一のものに同一符号を付して、その相違する点について以下説明する。
【００３９】
即ち、本発明の実施の形態２に係るコンクリート再生骨材製造用ジョークラッシャ１は、ゴム１６からなるエネルギー吸収手段２０が、図２に示す如く、前記トグルプレート１０が介設されたトグルブロック１１に設けられ、トグルプレート１０に負荷される一定荷重以上の破砕エネルギーを、トグルシート１４ｂを介して前記ゴム１６に吸収させるよう構成されたものである。
【００４０】
また、前記エネルギー吸収手段２０は、ゴム１６の代わりに圧縮ばねやエアスプリングを用いて構成しても良い。更に、前記エネルギー吸収手段２０は、トグルプレート１０を介して対極側、即ち、スイングジョー５に設けられたトグルシート１４ａ下部に設けても良い。
【００４１】
更に、本発明の実施の形態３に係るコンクリート再生骨材製造用ジョークラッシャを、図３を参照しながら以下説明する。図３は、本発明の実施の形態３に係るコンクリート再生骨材製造用ジョークラッシャの側断面を示す側断面図である。
【００４２】
尚、本発明の実施の形態３が上記実施の形態１と相違するところは、破砕エネルギー吸収手段が、図１に示したような構成でない所に相違があり、その他は同構成であるから、上記実施の形態１と同一のものに同一符号を付して、その相違する点について以下説明する。
【００４３】
即ち、本発明の実施の形態３に係るコンクリート再生骨材製造用ジョークラッシャ１は、図３に示す如く、圧縮ばね１７からなるエネルギー吸収手段２０が、ヒンジ１８とともに固定歯６と固定歯側フレーム７との間に介設され、固定歯６に負荷された一定荷重以上の破砕エネルギーを、前記圧縮ばね１７に吸収させるよう構成されたものである。
【００４４】
このような構成とすることにより、コンクリート廃材破砕時には、モルタル剥離に必要な低荷重しか作用しないので、前記エネルギー吸収手段２０を取り付けた固定歯６の部分は微小変位に留まり、固定歯６が逃げることなく破砕処理を行う。
【００４５】
これに対し、前記コンクリート廃材中の骨材が破砕されようとした場合、荷重量が大きいので、前記エネルギー吸収手段２０を取り付けた固定歯６の部分の変位量は大きくなる。しかし、その変位量がスイングジョー５のストローク以上になった場合、骨材は粉砕されずに排出される。この結果、高品質の再生骨材を安定して連続的に製造することが可能となる。
【００４６】
前記エネルギー吸収手段２０は、圧縮ばね１７の代わりにゴムやエアスプリングを用いて構成しても良い。更に、前記エネルギー吸収手段２０は、破砕室１２を構成する対極側、即ち、動歯４とスイングジョー５との間に介設することもできる。
【００４７】
更に、前記エネルギー吸収手段２０には、例えば図３に示した圧縮ばね１７に代えて、テンションスプリング９のように与圧調整可能な圧縮ばねを用いたり、油圧や空圧を作動流体とする流体シリンダーを用いることもできる。このような流体シリンダーの作動流体回路中にリリーフ弁を設け、リリーフ弁の設定圧を可変なものとする。そして、本発明に係るコンクリート再生骨材製造用ジョークラッシャ１が、定常運転時は前記流体シリンダーによって破砕荷重が負荷される。
【００４８】
一方、設定値以上の破砕荷重が作用した場合は、前記リリーフ弁が作動して破砕荷重の負荷を中断し、コンクリート廃材中の骨材の粉砕が免れる。その後、作動流体回路から前記流体シリンダーへの作動圧力を復帰させ、再び一定の破砕荷重で定常運転を継続する。
このような構成とした場合は、前記リリーフ弁の設定値を変更することで負荷荷重を変化させることが出来るので、供給原料の性状に応じた適切な負荷荷重を選択でき、より安定した高品質の再生骨材を得ることが可能となる。
【００４９】
以上の如く、本発明に係るコンクリート再生骨材製造用ジョークラッシャは、固定歯または／および動歯に作用する圧縮荷重が負荷される部材に、一定荷重以上の破砕エネルギーを吸収させる破砕エネルギー吸収手段を設けて、コンクリート廃材のモルタル分と骨材と圧縮強度の差を利用し、前記コンクリート廃材のモルタル分を優先的に破砕するよう構成されたので、低コストで高品質の再生骨材製品を歩留まり高く製造することが可能となった。
【００５０】
また、本発明に係るコンクリート再生骨材製造用ジョークラッシャは、前記破砕エネルギー吸収手段が、スイングジョーとトグルブロックとの間にあって、動歯を固定したスイングジョーの下端に揺動運動を与えるため介設されたトグルプレートに設けられ、前記トグルプレートに負荷される破砕エネルギーを吸収させるよう構成されたので、コンクリート廃材中の骨材を破砕するような一定荷重以上の圧縮荷重が負荷されたときは、前記動歯に作用する圧縮荷重が吸収され、再生骨材製品の歩留まりと品質の向上を低コストに実現できる。
【図面の簡単な説明】
【００５１】
【図１】本発明の実施の形態１に係るコンクリート再生骨材製造用ジョークラッシャの側断面を示す側断面図である。
【図２】本発明の実施の形態２に係るコンクリート再生骨材製造用ジョークラッシャの側断面を示す側断面図である。
【図３】本発明の実施の形態３に係るコンクリート再生骨材製造用ジョークラッシャの側断面を示す側断面図である。
【図４】従来例に係るコンクリート再生骨材製造方法に使用する装置（もみ摺り方式）を示す斜視図である。
【図５】他の従来例に係るコンクリート再生骨材製造方法に使用する再生処理装置（偏心ロータ方式）の概略図である。
【符号の説明】
【００５２】
Ｐ…主軸中心，    Ｑ…偏心軸中心，
１…コンクリート再生骨材製造用ジョークラッシャ，    ２…主軸，
３…サイドフレーム，
４…動歯，      ５…スイングジョー，
６…固定歯，    ７…固定歯側フレーム，
８…テンションロッド，    ９…テンションスプリング，
１０…トグルプレート，１０ａ…雌型プレート，１０ｂ…雄型プレート，
１１…トグルブロック，    １２…破砕室，    １３…揺動方向，
１４ａ，１４ｂ…トグルシート，
１５，１７…圧縮ばね，    １６…ゴム，    １８…ヒンジ
２０…破砕エネルギー吸収手段
【図１】
2007222752.tif 000003
【図２】
2007222752.tif 000004
【図３】
2007222752.tif 000005
【図４】
2007222752.tif 000006
【図５】
2007222752.tif 000007